(57)【要約】【課題】発破直後のトンネル内空壁面の位置情報を安全に取得可能な穿孔ナビゲーション装置を提供する。【解決手段】穿孔ナビゲーション装置１は、穿孔情報算出部３２で算出したロックボルト孔Ｌの穿孔情報のうち、穿孔位置座標とその座標での単位体積を破砕するために使用した穿孔エネルギ値とに基づいて、発破直後またはコンクリート吹付後のトンネル内空壁面（ＳまたはＨ）の推測断面情報を算出する内空壁位置算出部３３と、内空壁位置算出部３３で算出した推測断面情報から推測断面の画像をモニタ２に表示させる表示実行部３４と、を備える。【選択図】図１
2019078663.tif 000002
【特許請求の範囲】
【請求項１】
移動台車に設けられたブームと、該ブームに設けられてロックボルト孔を穿孔可能な穿孔機と、を備えた穿孔装置を用いて行われる、トンネルの施工作業を支援する穿孔ナビゲーション装置であって、
トンネルの閉合部に対するロックボルト孔の穿孔時に取得された穿孔情報のうち、穿孔位置座標とその座標での単位体積を破砕するために使用した穿孔エネルギ値とに基づいて、発破直後またはコンクリート吹付後のトンネル内空壁面の推測断面情報を算出する内空壁位置算出部と、
前記内空壁位置算出部で算出した推測断面情報から推測断面の画像をモニタに表示させる表示実行部と、を備えることを特徴とする穿孔ナビゲーション装置。
【請求項２】
前記表示実行部は、前記推測断面の画像をモニタに表示するとともに、これから切羽の鏡に対して穿孔する装薬孔の穿孔パターンの画像をモニタに重畳表示する請求項１に記載の穿孔ナビゲーション装置。
【請求項３】
前記内空壁位置算出部は、周方向に放射状に穿孔される複数のロックボルト孔の全ての穿孔位置において、各ロックボルト孔の穿孔時に取得された穿孔エネルギ値の変化を監視し、その穿孔エネルギ値の変化が所定を超えたときの各ロックボルト孔における前記穿孔位置座標を、発破直後またはコンクリート吹付後のトンネル内空壁面に到達した位置座標と判定するとともに、その判定された各ロックボルト孔における位置座標相互を、直線または曲線で締結することにより、発破直後またはコンクリート吹付後のトンネル内空壁面に近似する推測断面情報を取得する請求項１または２に記載の穿孔ナビゲーション装置。
【請求項４】
前記トンネルの閉合作業中に穿孔されたロックボルト孔の穿孔位置座標とその座標での単位体積を破砕するために使用した穿孔エネルギ値を穿孔情報として算出する穿孔情報算出部を更に備え、
前記内空壁位置算出部は、前記穿孔情報算出部で算出された各ロックボルト孔の穿孔情報に基づいて、前記発破直後またはコンクリート吹付後のトンネル内空壁面の推測断面情報を算出する請求項１〜３のいずれか一項に記載の穿孔ナビゲーション装置。
【請求項５】
トンネル延長方向における切羽の位置情報と、前記移動台車の位置、姿勢および向きの情報とを取得する基準情報取得部と、
前記移動台車に対する前記穿孔機の位置、姿勢および向きに関する情報を取得する相対情報取得部と、
前記穿孔機のドリフタを駆動する油圧から前記穿孔エネルギ値を取得する油圧検出部と、を更に備え、
前記穿孔情報算出部は、前記基準情報取得部および前記相対情報取得部並びに油圧検出部が取得した情報に基づいて、前記穿孔情報を算出する請求項４に記載の穿孔ナビゲーション装置。
【発明の詳細な説明】
【技術分野】
【０００１】
本発明は、トンネルの施工作業を支援する穿孔ナビゲーション装置に関する。
【背景技術】
【０００２】
従来、移動台車に設けられたブームと、ブームに設けられた穿孔機とを備えた穿孔装置を用いて行われる、トンネルの施工作業を支援する穿孔ナビゲーション装置が開示されている（例えば、特許文献１参照）。
特許文献１に記載の穿孔ナビゲーション装置では、発破工法を用いたトンネル工事において、トンネル延長方向における切羽の位置、移動台車の位置、姿勢および向きの情報等、各種情報に基づいて装薬孔の穿孔位置を算出し、算出した装薬孔の位置を表示するようになっている。
【先行技術文献】
【特許文献】
【０００３】
【特許文献１】特開２０１５−２３０１８９号公報
【発明の概要】
【発明が解決しようとする課題】
【０００４】
ところで、発破工法を用いたトンネル工事において、発破後のトンネル内空壁を測量し記録することは、発破の成否を判断するとともに、今後の発破計画の改良にも役立てることができる重要な情報である。これに対し、特許文献１に記載の穿孔ナビゲーション装置では、装薬孔の穿孔位置は算出し得るものの、発破後のトンネル内空壁の位置までは算出できないという問題がある。
一方、一般的に、発破直後のトンネル内空壁は崩壊し易いことから早期に閉合が求められる。そのため、トンネル内空壁を測量する時間が十分にとれない上、人が切羽近傍に立ち入ることを避ける目的から、トンネル内空壁の測量を人が行うことが困難であるという問題がある。また、コンクリート吹付後の内空断面の情報も、その後の覆工作業において重要な情報となるため、記録することが望ましい。しかし、それらを測量すると時間がかかるので実際に行うのは困難であった。
【０００５】
そこで、本発明は、このような問題点に着目してなされたものであって、発破直後またはコンクリート吹付後のトンネル内空壁面の位置情報を安全に取得可能な穿孔ナビゲーション装置を提供することを課題とする。
【課題を解決するための手段】
【０００６】
上記課題を解決するために、本発明の一態様に係る穿孔ナビゲーション装置は、移動台車に設けられたブームと、該ブームに設けられてロックボルト孔を穿孔可能な穿孔機と、を備えた穿孔装置を用いて行われる、トンネルの施工作業を支援する穿孔ナビゲーション装置であって、トンネルの閉合部に対するロックボルト孔の穿孔時に取得された穿孔情報のうち、穿孔位置座標とその座標での単位体積を破砕するために使用した穿孔エネルギ値とに基づいて、発破直後またはコンクリート吹付後のトンネル内空壁面の推測断面情報を算出する内空壁位置算出部と、前記内空壁位置算出部で算出した推測断面情報から推測断面の画像をモニタに表示させる表示実行部と、を備えることを特徴とする。
【０００７】
本発明の一態様に係る穿孔ナビゲーション装置によれば、トンネルの閉合部に対する各ロックボルト孔の穿孔時に取得された穿孔情報に基づいて、発破直後またはコンクリート吹付後のトンネル内空壁面の推測断面情報を算出し、その算出した推測断面情報から推測断面の画像をモニタに表示するので、発破直後またはコンクリート吹付後のトンネル内空壁面の位置情報を安全に取得し、これを用いてトンネルの施工作業を支援することができる。
【発明の効果】
【０００８】
上述したように、本発明によれば、発破直後またはコンクリート吹付後のトンネル内空壁面の位置情報を安全に取得し、これを用いてトンネルの施工作業を支援できる。
【図面の簡単な説明】
【０００９】
【図１】本発明の一態様に係る穿孔ナビゲーション装置の一実施形態の概略構成を示す概念図である。
【図２】本発明の一態様に係る穿孔ナビゲーション装置のモニタの表示例を示す正面図である。
【図３】ロックボルト孔を穿孔装置で穿孔しているイメージを示す概念図である。
【図４】図３のＡ部拡大図であって、閉合部に対するロックボルト孔の穿孔開始位置と発破直後のトンネル内空壁の横断面との関係を説明する図である。
【図５】発破直後のトンネル内空壁の横断面の一例を表す概念図である。
【図６】発破直後のトンネル内空壁をコンクリート吹付けおよび支保工建込による閉合後のトンネルの横断面の例を表す概念図である。
【図７】発破直後のトンネル内空壁の横断面と計画断面を示すとともに、「余掘り」の定義を説明するための図である。
【図８】ロックボルト孔を穿孔中のトンネルの横断面の一例を示す概念図である。
【図９】ロックボルト孔を穿孔後のトンネルの横断面の一例を示す概念図である。
【図１０】ロックボルトが施工されたトンネルの横断面の一例を示す概念図である。
【発明を実施するための形態】
【００１０】
以下、本発明の一実施形態について、図面を適宜参照しつつ説明する。本実施形態に係る穿孔ナビゲーション装置は、トンネルの施工作業を支援するための装置であり、特に、本実施形態では、発破直後のトンネル内空壁の閉合に際し、素掘り部分をコンクリート吹付けおよび支保工建込により閉合するトンネルの施工作業に好適な例である。
なお、図面は模式的なものである。そのため、厚みと平面寸法との関係、比率等は現実のものとは異なることに留意すべきであり、図面相互間においても互いの寸法の関係や比率が異なる部分が含まれている。また、以下に示す実施形態は、本発明の技術的思想を具体化するための装置や方法を例示するものであって、本発明の技術的思想は、構成部品の材質、形状、構造、配置等を下記の実施形態に特定するものではない。
【００１１】
図１に示すように、本実施形態の穿孔ナビゲーション装置１は、切羽Ｋの周壁面の閉合部Ｈに対し、ロックボルト孔を穿孔するためのドリルジャンボ等の作業用車両（以下、「穿孔装置４」とも呼ぶ）に搭載される。穿孔装置４は、移動台車５と、移動台車５に設けられて複数の可動部（後述）を有するブーム６と、ブーム６に設けられて穿孔機７を搭載するガイドセル８とを備える。
ブーム６は、ブーム６を水平方向に揺動させるブームスイング９（以下、「第１の可動部９」とも呼ぶ）と、ブーム６を前後に進退動させるブームスライド１０（以下、「第２の可動部１０」とも呼ぶ）と、ガイドセル８を水平方向に揺動させるガイドスイング１１（以下、「第３の可動部１１」とも呼ぶ）と、ガイドセル８を垂直方向に揺動させるガイドチルト１２（以下、「第４の可動部１２」とも呼ぶ）と、ガイドセル８を前後に進退動させるガイドスライド１３（以下、「第５の可動部１３」とも呼ぶ）とを有する。
【００１２】
第１〜第５の可動部９〜１３のそれぞれは、後述する電動モータ１９で駆動される油圧ポンプ１８から供給される油圧によって駆動される。これにより、ブーム６は、穿孔装置４のオペレータの操作に応じて、穿孔機７の位置および姿勢を変更可能に構成されている。
穿孔機７は、先端部に穿孔用ビットが設けられた穿孔ロッド１４と、穿孔ロッド１４の後端部に打撃を付与するドリフタ１５とを有する。穿孔機７には、穿孔機７を前後方向（つまりロッド軸方向）に進退動させるフィーダ１６が配置されている。これにより、穿孔機７は、オペレータの操作に応じて、穿孔ロッド１４の後端部にドリフタ１５で打撃力を付与するとともに、前方向に移動することで切羽Ｋの周壁面の閉合部Ｈにロックボルト孔Ｌを穿孔可能になっている。
【００１３】
これにより、オペレータは、穿孔装置４を操作し、穿孔ロッド１４の先端を切羽Ｋの周壁面の閉合部Ｈに押し当てる動作と、穿孔ロッド１４の後端に打撃を付与するとともに穿孔機７を前方向に移動させる動作とを繰り返すことで、閉合部Ｈに対して複数のロックボルト孔Ｌを穿孔可能となっている。
また、穿孔装置４は、モータ起動スイッチ１７と、油圧ポンプ１８とを有する。モータ起動スイッチ１７は、油圧ポンプ１８の起動時（つまり第１〜第５の可動部９〜１３に駆動を開始させるとき）にオペレータが押圧するスイッチである。モータ起動スイッチ１７は、オペレータが押圧すると、油圧ポンプ１８を起動させる信号（以下、「起動信号」とも呼ぶ）を電動モータ１９とコントローラ３（後述）とに出力する。
【００１４】
油圧ポンプ１８は、電動モータ１９によって駆動され、穿孔機７のドリフタ１５およびフィーダ１６、並びに、第１〜第５の可動部９〜１３に設けられた油圧シリンダ等に油圧を供給するポンプである。電動モータ１９は、モータ起動スイッチ１７から起動信号が出力されると、油圧ポンプ１８の駆動を開始し、コントローラ３から停止信号（後述）が出力されると、油圧ポンプ１８の駆動を終了する。
また、本実施形態の穿孔ナビゲーション装置１は、相対情報取得部２０〜２４と、始動操作検出部２５と、穿孔情報記憶部２６と、モニタ２と、コントローラ３とを備える。相対情報取得部２０〜２４は、移動台車５に対する穿孔機７のビットの位置（すなわちビットの相対位置）、姿勢および向きに関する情報（以下、「相対情報」とも呼ぶ）を取得する。そして、相対情報取得部２０〜２４は、取得した相対情報をコントローラ３に出力する。
【００１５】
例えば、相対情報取得部２０（以下、「水平角検出部２０」とも呼ぶ）は、第１の可動部９に配され、ブーム６の水平方向への揺動角を検出し、その検出結果をコントローラ３に出力する。また、相対情報取得部２１（以下、「水平角検出部２１」とも呼ぶ）は、第３の可動部１１に配され、ガイドセル８の水平方向への揺動角を検出し、その検出結果をコントローラ３に出力する。
また、相対情報取得部２２（以下、「垂直角検出部２２」とも呼ぶ）は、第４の可動部１２に配され、ガイドセル８の垂直方向への揺動角を検出し、その検出結果をコントローラ３に出力する。さらに、相対情報取得部２３（以下、「進退量検出部２３」とも呼ぶ）は、第２の可動部１０に配され、ブーム６の前後方向への進退量を検出し、その検出結果をコントローラ３に出力する。また、相対情報取得部２４（以下、「進退量検出部２４」とも呼ぶ）は、フィーダ１６に配され、ガイドセル８の前後方向への進退量を検出し、その検出結果をコントローラ３に出力する。
【００１６】
穿孔情報記憶部２６は、穿孔作業中に穿孔されたロックボルト孔Ｌの穿孔位置および穿孔エネルギ値を記憶する。
閉合部Ｈに対するロックボルト孔Ｌの穿孔位置としては、例えば、ロックボルト孔Ｌの穿孔位置の座標データを用いることができる。また、穿孔エネルギ値としては、例えば、ロックボルト孔Ｌを穿孔時にドリフタ１５に供給される油圧の検出データを用いることができる。モニタ２は、オペレータから視認可能な位置に配置され、コントローラ３が生成した画像（例えば、図２に示すように、これから切羽の鏡に対して穿孔する装薬孔の穿孔作業を支援するための画像）を表示する。
【００１７】
コントローラ３は、モータ起動スイッチ１７、水平角検出部２０、２１、垂直角検出部２２、進退量検出部２３、２４、始動操作検出部２５、穿孔情報記憶部２６およびモニタ２に接続されたマイコンである。コントローラ３は、油圧検出部３０、情報取得部３１、穿孔情報算出部３２、表示実行部３４、記憶実行部３５および停止部３６等のハードウェア資源を論理的に備えている。
図１に示す例では、油圧検出部３０、情報取得部３１、穿孔情報算出部３２、表示実行部３４、記憶実行部３５、停止部３６および内空壁位置算出部３３等は、論理的な機能に着目したハードウェア資源を形式的に表現している。すなわち、図１の表現は、必ずしも半導体チップ上に物理的な領域として独立存在する機能ブロックを意味するものではない。
【００１８】
油圧検出部３０は、穿孔機７のフィーダ１６、および、ブーム６の第１〜第５の可動部９〜１３を駆動させる油圧ポンプ１８の起動操作、並びに、フィーダ１６に供給される随時の油圧を検出し、その検出結果を情報取得部３１に出力する。油圧ポンプ１８の起動操作の検出方法としては、例えば、モータ起動スイッチ１７から起動信号が出力されたか否かを判定する手法を用いることができる。また、例えば、ブーム６の第１〜第５の可動部９〜１３、穿孔機７のドリフタ１５、フィーダ１６を駆動させる油圧ポンプ１８の起動操作を検出する構成を採用できる。
【００１９】
情報取得部３１は、油圧検出部３０で油圧ポンプ１８の起動操作が検出されると、トンネル延長方向における切羽Ｋの位置の情報と、移動台車５の位置、姿勢および向きの情報とを送信させる信号（以下、「送信要求信号」とも呼ぶ）をトンネル用総合測量システム４０に送信する。これらの情報を、以下、「演算用情報」とも呼ぶ。
切羽Ｋの位置としては、例えば、トンネル起点（０［ｍ］）からのトンネル進行長を用いることができる。また、穿孔装置４の位置としては、例えば、穿孔装置４の座標データを用いることができる。情報取得部３１とトンネル用総合測量システム４０との間の信号等の送信は、例えば、無線ＬＡＮ（Ｌｏｃａｌ  Ａｒｅａ  Ｎｅｔｗｏｒｋ）による無線通信を用いて行われる。
【００２０】
ここで、トンネル用総合測量システム４０は、トンネル坑内に設置されたトータルステーション４１と、情報取得部３１から送信要求信号が送信されるとトータルステーション４１に演算用情報を測定させ、測定された演算用情報をコントローラ３（情報取得部３１）に送信する演算制御部４２とを有する。トンネル用総合測量システム４０としては、例えば、特許第３４１８６８２号公報で開示されたものを用いることができる。
穿孔情報算出部３２は、情報取得部３１で取得した演算用情報と、水平角検出部２０、２１、垂直角検出部２２および進退量検出部２３、２４の各検出結果（つまり、相対情報取得部２０〜２４で取得した相対情報）とに基づき、閉合部Ｈに対するロックボルト孔Ｌの穿孔位置座標の情報を算出する。さらに、穿孔情報算出部３２は、油圧検出部３０で検出された、ドリフタ１５に供給される随時の油圧データを取得し、随時の穿孔位置座標の情報とそのときにドリフタ１５に供給されている油圧データとを紐付して穿孔情報とする。
【００２１】
ここで、ドリフタ１５に供給される随時の油圧データは、そのときに単位体積を破砕するために使用した穿孔エネルギ値に対応する。よって、随時の穿孔位置座標の情報とそのときにドリフタ１５に供給されている油圧データとを紐付して記憶することにより、その穿孔位置座標での単位体積を破砕するために使用した穿孔エネルギ値が判る。
そして、穿孔情報算出部３２は、算出したロックボルト孔Ｌの穿孔情報を表示実行部３４に出力する。表示実行部３４は、穿孔情報算出部３２で算出したロックボルト孔Ｌの穿孔情報に基づき、図２に示すように、ロックボルト孔Ｌの穿孔位置をモニタ２に表示させる。
【００２２】
なお、図２に示す表示例では、後述する内空壁位置算出処理で生成され、閉合部Ｈに対する複数のロックボルト孔Ｌの穿孔結果から算出した、トンネル内空壁Ｓの推測断面Ｇと計画断面Ｐとを比較可能に重畳表示し、併せて、これから切羽の鏡に対して穿孔する装薬孔の穿孔パターンを重畳表示している例である。同図では、装薬孔の開口部の位置が四角形状の図形「□」で表され、装薬孔の向きが図形「□」から延びている直線で表されている。
さらに、穿孔エネルギ値を監視することにより、当然に、コンクリート吹付後のトンネル内空壁面（つまり、閉合部Ｈの表面）の位置をも取得することができる。よって、本実施形態では、コンクリート吹付後の内空断面情報も併せて取得するとともに、表示実行部３４は、コンクリート吹付後の内空断面情報をモニタ２に、単動または上記トンネル内空壁Ｓの推測断面Ｇと計画断面Ｐとを比較可能に重畳表示可能になっている（例えば図６参照）。
【００２３】
記憶実行部３５は、穿孔情報算出部３２で算出したロックボルト孔Ｌの穿孔情報を穿孔情報記憶部２６に記憶させる。穿孔情報記憶部２６に記憶された穿孔情報は、発破直後のトンネル内空壁面Ｓの推測断面Ｇの算出、およびコンクリート吹付後の内空断面情報の算出に用いる他、穿孔結果の解析に用いる。
内空壁位置算出部３３は、内空壁位置算出処理を実行し、発破後のトンネル内空壁Ｓおよび閉合部Ｈの表面を、ロックボルト孔Ｌの穿孔結果の記録から推測断面Ｇおよび閉合部Ｈの表面位置情報としてそれぞれ算出する。ここで、本実施形態では、閉合部Ｈに対して支保工が入る例を示したが、これに限らず、本発明は、閉合部Ｈに対して支保工が入らないトンネルに対しても適用できる。
【００２４】
詳しくは、支保工が入るトンネル断面ではトンネル内空壁の崩落を防ぐために、一定厚さの吹付けコンクリート施工を行うとともに支保工を建て込んでから、支保工の表面まで二次吹付けコンクリートを施工して素掘り部分を閉合することが一般的である。そのため、二次コンクリート吹付け後は、発破後の内空壁の形状を目視では確認できない。
一方、上述したように、本実施形態の穿孔ナビゲーション装置１が装備された穿孔装置４によれば、ロックボルト孔Ｌの穿孔を行った場合、その穿孔開始位置の座標およびその座標での単位体積を破砕するために使用した穿孔エネルギ値等のロックボルト孔Ｌの穿孔情報は、システムの穿孔情報記憶部２６に記録されているので、その座標およびそのときの穿孔エネルギ値を容易に確認することができる。
【００２５】
つまり、本実施形態のナビゲーションシステムは、常にビットの座標と穿孔エネルギをひも付けして記録しているので、穿孔エネルギ値が、コンクリートから岩盤に変化したと考えられる変化点がわかれば、おのずとコンクリートと岩盤の境界点の座標もわかることになる。
ここで、吹付けコンクリートを破砕するのに必要とされる穿孔エネルギはほぼ一定である。そのため、本実施形態の内空壁位置算出処理では、穿孔エネルギの変化点の座標が内空壁の位置であると推測する処理により、内空壁座標（Ｙ２，Ｚ２）を判断する。
【００２６】
すなわち、本実施形態の内空壁位置算出処理では、内空壁位置算出部３３は、周方向に放射状に穿孔される複数のロックボルト孔Ｌの全ての穿孔位置において、各ロックボルト孔Ｌを穿孔時に取得された穿孔エネルギ値の変化を監視する。
そして、その穿孔エネルギ値の変化が所定を超えたときの各ロックボルト孔Ｌにおける位置座標を、発破直後のトンネル内空壁面である発破後断面に到達した位置座標と判定する。さらに、その判定された各ロックボルト孔Ｌの位置座標相互を、直線または回帰スプライン等による曲線で締結することにより、発破直後のトンネル内空壁面に近似する推測断面情報を取得する。また、穿孔開始点についても同様であり、ほぼ無負荷の状態から穿孔エネルギー値が急激に上昇したときの位置情報から閉合部Ｈの表面位置情報、つまり、コンクリート吹付後の内空断面情報を取得できる。よって、穿孔作業をしなくても、ガイドシェルを内空壁にタッチするだけで内空断面情報（推測断面情報）を取得できる。
【００２７】
なお、「穿孔エネルギ値の変化が所定を超えたとき」の「所定」とは、種々の基準を設定できる。例えば穿孔エネルギ値の変化率を監視し、所定の変化率を超えたときを判断基準にできる。また、例えば穿孔エネルギ値の変化量を監視し、所定の変化量を超えたときを判断基準にできる。また、例えば穿孔エネルギ値の閾値を設定し、所定の閾値を超えたときを判断基準にできる。
本実施形態の内空壁位置算出部３３は、この処理手順に従い、閉合部Ｈに対して各ロックボルト孔Ｌを穿孔するときの穿孔情報に基づいて、発破直後のトンネル内空壁面Ｓの推測断面情報、および閉合部Ｈの表面位置情報を算出する。そして、表示実行部３４は、図２にも示すように、内空壁位置算出部３３で算出した推測断面情報から推測断面Ｇの画像をモニタに表示させる。同図に示す例では、上述したように、推測断面Ｇの画像とともに計画断面Ｐの画像、およびこれから切羽の鏡に対して穿孔する装薬孔の穿孔パターンを併せて重畳表示している。また、閉合部Ｈの表面位置情報を併せて表示可能になっている。
【００２８】
（動作）
次に、本実施形態に係る穿孔ナビゲーション装置１の動作および作用効果を説明する。
ところで、トンネルの施工作業では、まず、地山に装薬孔をさく孔をし、その装薬孔内に爆薬を装薬して発破し、その後にズリ出しを行う。これにより、図５に示すように、切羽の未閉合部には、発破直後のトンネル内空壁面Ｓが周囲に形成される。そして、発破されたトンネル内空壁Ｓに対しては、図６に示すように、迅速なコンクリートの吹付け作業および支保工Ｍの建込み作業が行われ、トンネル内空壁面Ｓが閉合部Ｈにより閉合される。
【００２９】
ここで、図７に示すように、トンネルの計画断面Ｐに対し、発破により形成されるトンネル内空壁面Ｓには、余掘り（計画断面Ｐに対して凹の部分）が生じ得る。そして、余掘り量を所定以内に管理することは、発破の施工品質を向上する上で極めて重要である。一方、上述したように、発破直後のトンネル内空壁面Ｓは崩壊し易いことから早期に閉合が求められる。そのため、トンネル内空壁を測量する時間が十分にとれない上、人が切羽近傍に立ち入ることを避ける目的から、トンネル内空壁の測量を人が行うことが困難である。
【００３０】
これに対し、本実施形態では、コントローラ３は、ロックボルト孔Ｌの穿孔情報の取得処理とともに、内空壁位置算出処理を常に自動的に実行し、これにより、これまで取得困難であった発破直後のトンネル内空壁面Ｓの形状情報を安全に取得可能であり、また、その結果をモニタ２に表示することで、これまで以上に精密な発破施工を実施可能である。
具体的には、本実施形態では、閉合部Ｈにロックボルト孔Ｌを穿孔するに際し、ブーム６の第１〜第５の可動部９〜１３を駆動可能とするために、オペレータは、モータ起動スイッチ１７を押圧する。これにより、モータ起動スイッチ１７が起動信号を電動モータ１９とコントローラ３とに出力する。起動信号が出力されると、電動モータ１９が、油圧ポンプ１８の駆動を開始する。
【００３１】
これにより、穿孔機７のドリフタ１５およびフィーダ１６、並びに、ブーム６の第１〜第５の可動部９〜１３が駆動可能な状態となる。そして、コントローラ３は、情報取得信号をトンネル用総合測量システム４０の演算制御部４２に送信する。情報取得信号が送信されると、演算制御部４２が、トータルステーション４１に移動台車５の位置等の演算用情報を測定させ、測定された演算用情報をコントローラ３に送信する。
演算用情報が送信されると、コントローラ３は、送信された演算用情報を取得し、取得した演算用情報、水平角検出部２０、２１、垂直角検出部２２および進退量検出部２３、２４の各検出結果、並びに、油圧検出部３０による油圧の検出結果に基づき、閉合部Ｈに対するロックボルト孔Ｌの穿孔位置、および、そのときにその座標での単位体積を破砕するために使用した穿孔エネルギ値を算出する。
【００３２】
これにより、コントローラ３は、図８に穿孔途中のイメージを示すように、トンネル内空壁Ｓの周方向に放射状に穿孔される各ロックボルト孔Ｌの穿孔位置の座標およびそのとき用した穿孔エネルギを穿孔情報として取得できる。そして、コントローラ３は、図２に示したように、算出したロックボルト孔Ｌの穿孔位置をモニタ２に表示させるとともに、穿孔情報を穿孔情報記憶部２６に記憶させる。これにより、モニタ２の画像をオペレータに視認させ、ロックボルト孔Ｌの穿孔作業を支援することができる。
さらに、本実施形態のコントローラ３は、内空壁位置算出部３３が、各ロックボルト孔Ｌが穿孔された全ての位置で、上述した内空壁位置算出処理を実行し、発破後断面に到達した位置座標（Ｙ２，Ｚ２）を直線または曲線で締結して、近似の内空壁情報を取得することができる。
【００３３】
つまり、図９に示すように、所定のロックボルト孔Ｌが総て穿孔されると、本実施形態のコントローラ３は、各ロックボルト孔Ｌの穿孔結果の記録から発破後のトンネル内空壁Ｓと交じわる点の位置座標（Ｙ２，Ｚ２）を求め、その求められた位置座標相互を、直線または回帰スプライン等の曲線で締結することにより、発破直後のトンネル内空壁面Ｓに近似する推測断面情報を安全に取得することができる。
そして、コントローラ３は、図２に示したように、トンネル内空壁Ｓの推測断面Ｇと計画断面Ｐとを比較可能に重畳表示し、併せて、これから切羽の鏡に対して穿孔する装薬孔の穿孔パターンを重畳表示することができる。これにより、これまで取得困難であった内空壁の形状情報を安全に取得可能であり、また、その結果をモニタ２に表示することで、これまで以上に精密な発破施工を実施できる。
【００３４】
また、本実施形態に係る穿孔ナビゲーション装置１によれば、発破直後およびコンクリート吹付後のトンネル内空壁面（符号ＳおよびＨに対応する面）の推測断面情報の取得の他、所定のロックボルト孔Ｌの穿孔後には、図１０に示すように、各ロックボルト孔Ｌに対してロックボルトＬＢがそれぞれ打設されるところ、このロックボルトＬＢの打設表示や、これから打設されるロックボルトＬＢの位置等を併せて重畳表示することも可能となる。よって、本実施形態に係る穿孔ナビゲーション装置１によれば、トンネルの施工作業をより総合的に支援する上で極めて優れている。
【００３５】
例えば、本実施形態に係る穿孔ナビゲーション装置１によれば、発破直後のトンネル内空壁面Ｓの推測断面情報に基づき、掘削断面を把握できる。そのため、余掘りをより正確に把握して、次回の発破時に、穿孔位置や角度を修正して余掘りを低減することができる。また、覆工コンクリートの出来は覆工前の凸凹に影響されるところ、余掘りをより正確に把握し（つまり覆工前の形状をより正確に把握し）、これにより、従前の工程での問題点を次回の同工程では改善して、覆工背面の凹凸を減らすことができる。よって、覆工厚を均一化して拘束ひび割れを防止または抑制することができるという優れた効果を奏する。
【００３６】
また、本実施形態に係る穿孔ナビゲーション装置１によれば、例えば「コンクリート吹付後のトンネル内空壁面（閉合部Ｈに対応する面）の推測断面情報」と「発破直後のトンネル内空壁面Ｓの推測断面情報」とから、吹付け断面の形状や厚さを把握できるため、覆工コンクリート量を推定して、支保工設置や吹付け設置が間違っていないかをチェックすることができる。また、吹付け面の凹凸による防水シートの設置基準に適合するか否かをチェックすることができる。さらに、計測工としてトンネル全周の変状を把握することができる。
【００３７】
さらに、本実施形態に係る穿孔ナビゲーション装置１によれば、吹付け断面の形状や厚さを把握できることから、吹付け全周巻き厚が確保できているか否かを確認できる。また、吹付け厚から吹付け量を推定することにより、余吹率やリバウンド率をより正確に計算して、吹付け配合の変更を行うための資料とすることができる。
つまり、吹付コンクリートは、その全てが閉合部に付着するわけではなく、一部は落下してしまう。これを「リバウンド」と呼ぶが、「リバウンド」は、いわゆる材料ロスとなる。ここで、吐出した総コンクリートの量とリバウンドとの比を「リバウンド率」と呼ぶところ、通常は、リバウンド率は推測値である。
【００３８】
これに対し、本実施形態に係る穿孔ナビゲーション装置１によれば、総コンクリートの量は既知であり、さらに、コンクリート吹付け後のトンネル内空壁面形状と吹付け前のトンネル内空壁面（つまり発破直後のトンネル内空壁面Ｓ）の形状との差から閉合部に付着したコンクリート量が判るので、リバウンド率をより正確に求めることができるという優れた効果を奏する。
以上説明したように、本実施形態に係る穿孔ナビゲーション装置１は、閉合部に対してロックボルト孔Ｌを穿孔するときの穿孔情報に基づいて、発破直後およびコンクリート吹付後のトンネル内空壁面（ＳおよびＨ）の推測断面情報の少なくとも一方を算出し、その算出した推測断面情報から推測断面Ｇ等の画像をモニタ２に表示させるので、発破直後のトンネル内空壁面Ｓの位置情報を安全に取得できる。
【００３９】
なお、本発明に係る穿孔ナビゲーション装置は、上記実施形態に限定されるものではなく、本発明の趣旨を逸脱しなければ種々の変形が可能なことは勿論である。
例えば、上記実施形態に係る穿孔ナビゲーション装置１では、内空壁位置算出部３３は、ロックボルト孔Ｌの穿孔情報の取得処理とともに、内空壁位置算出処理を常に自動的に実行する例を示したが、これに限らず、ロックボルト孔Ｌの穿孔情報の取得処理とは独立して、内空壁位置算出処理を実行してもよい。例えば、オペレータが実行命令を入力したときに実行するようにすることができる。
【００４０】
また、例えば上記実施形態に係る穿孔ナビゲーション装置１では、穿孔情報算出部３２が、情報取得部３１で取得した演算用情報と、相対情報取得部２０〜２４で取得した相対情報と、油圧検出部３０による油圧の検出結果と、に基づき、ロックボルト孔Ｌの穿孔位置とそれに紐付けされた穿孔エネルギ値を算出する例を示したが、他の構成を作用してもよい。
また、例えば穿孔情報算出部３２が、情報取得部３１で演算用情報の取得を完了する前に穿孔装置４で穿孔作業が開始された場合には、情報取得部３１で過去に取得した演算用情報（例えば、前回取得した演算用情報）と相対情報とに基づき、ロックボルト孔Ｌの穿孔位置を算出してもよい。
【００４１】
この場合、記憶実行部３５が、過去に取得した演算用情報に基づいて算出したロックボルト孔Ｌの穿孔位置（以下、「仮算出位置」とも呼ぶ）を穿孔情報記憶部２６が記憶している場合には、情報取得部３１で演算用情報の取得を完了した後に、取得を完了した演算用情報に基づき穿孔情報記憶部２６が記憶している仮算出位置の修正を行うようにする。
これにより、本変形例に係る穿孔ナビゲーション装置１によれば、例えば、トータルステーション４１による移動台車５の位置等の測量が完了する前、つまり演算用情報の取得が完了する前に、穿孔作業が開始され、穿孔情報記憶部２６に不確かなロックボルト孔Ｌの穿孔位置が記憶されても、穿孔情報記憶部２６が記憶しているロックボルト孔Ｌの穿孔位置の精度を向上できる。
【００４２】
また、上記実施形態に係る穿孔ナビゲーション装置１では、水平角検出部２０、２１、垂直角検出部２２および進退量検出部２３、２４を備え、これらの検出部２０〜２４の検出結果（相対情報）と演算用情報とに基づいて、ロックボルト孔Ｌの穿孔位置を算出する例を示したが、これに限らず、他の構成を採用することもできる。例えば、検出部２０〜２４に代え、第１〜第５の可動部９〜１３、およびフィーダ１６の動作状態を検出するセンサを備え、これらのセンサの検出結果と演算用情報とに基づいて、ロックボルト孔Ｌの穿孔位置を算出してもよい。
【符号の説明】
【００４３】
１…穿孔ナビゲーション装置
２…モニタ
３…コントローラ
４…穿孔装置
５…移動台車
６…ブーム
７…穿孔機
８…ガイドセル
９…第１の可動部（ブームスイング）
１０…第２の可動部（ブームスライド）
１１…第３の可動部（ガイドスイング）
１２…第４の可動部（ガイドチルト）
１３…第５の可動部（ガイドスライド）
１４…穿孔ロッド
１５…ドリフタ
１６…フィーダ
１７…モータ起動スイッチ
１８…油圧ポンプ
１９…電動モータ
２０…水平角検出部（相対情報取得部）
２１…水平角検出部（相対情報取得部）
２２…垂直角検出部（相対情報取得部）
２３…進退量検出部（相対情報取得部）
２４…進退量検出部（相対情報取得部）
２５…始動操作検出部
２６…穿孔情報記憶部
３０…油圧検出部
３１…情報取得部
３２…穿孔情報算出部
３３…内空壁位置算出部
３４…表示実行部
３５…記憶実行部
３６…停止部
４０…トンネル用総合測量システム
４１…トータルステーション
４２…演算制御部
Ｋ…切羽
Ｌ…ロックボルト孔
ＬＢ…ロックボルト
Ｌｓ…ロックボルト孔の穿孔開始位置
Ｌｅ…ロックボルト孔の穿孔終了位置
Ｍ…支保工
Ｓ…発破後断面（発破直後のトンネル内空壁面）
Ｈ…閉合部（コンクリート吹付後のトンネル内空壁面）
Ｐ…計画断面
Ｇ…推測断面
【図１】
2019078663.tif 000003
【図２】
2019078663.tif 000004
【図３】
2019078663.tif 000005
【図４】
2019078663.tif 000006
【図５】
2019078663.tif 000007
【図６】
2019078663.tif 000008
【図７】
2019078663.tif 000009
【図８】
2019078663.tif 000010
【図９】
2019078663.tif 000011
【図１０】
2019078663.tif 000012